(57)【要約】  電子機器において、電源が投入されてから実際に映像が表示され又は音声が出力されるまでの時間を短縮するとともに、消費電力の増大も抑制する。  待機状態５０１と、準備状態５０２と、情報出力状態５０３と、の間では、待機状態５０１から準備状態５０２への遷移５０４と、準備状態５０２から情報出力状態５０３への遷移５０５と、情報出力状態５０３から準備状態５０２への遷移５０６と、準備状態５０２から待機状態５０１への遷移５０７と、待機状態５０１から情報出力状態５０３への遷移５０８と、を有する。
2007026532.tif 000002
【特許請求の範囲】
【請求項１】
当該情報処理装置の周囲の環境情報を取得する環境情報取得部と、
前記環境情報に基づいて、情報を出力していない待機状態から情報を出力している情報出力状態へ移行する準備段階である準備状態に移行する起因となる第1トリガを発生する第1トリガ発生部を有することを特徴とする情報処理装置。
【請求項２】
前記準備状態は、前記待機状態から前記情報出力状態への移行時間よりも該情報出力状態への移行時間を短くするために必要な回路への電力供給を行なっている状態であることを特徴とする請求項１に記載の情報処理装置。
【請求項３】
当該情報処理装置の周囲の環境情報を取得する環境情報取得部と、
環境情報の変化が、予め定められたしきい値に達した場合に、待機状態から準備状態に移行する起因となる第1トリガを発生する第1トリガ発生部を備えることを特徴とする情報処理装置。
【請求項４】
前記情報出力状態への移行指令信号を受信し、前記準備状態から前記情報出力状態に移行する起因となる第２トリガを発生する第２トリガ発生部を備えることを特徴とする請求項１から３までのいずれか１項に記載の情報処理装置。
【請求項５】
前記準備状態への移行指令信号を受信し、前記情報出力状態から前記準備状態に移行する起因となる第３トリガを発生する第３トリガ発生部を備えることを特徴とする請求項１から４までのいずれか１項に記載の情報処理装置。
【請求項６】
前記準備状態に移行してからの時間を計測する時間計測部と、
該時間計測部が計測した時間に基づいて、前記準備状態から前記待機状態に移行する起因となる第４トリガを発生する第４トリガ発生部と
を備えることを特徴とする請求項１から５までのいずれか１項に記載の情報処理装置。
【請求項７】
前記第４トリガ発生部は、前記時間計測部が保持する経過時間と、予め設定された時間と、を比較し、前記経過時間が前記設定された時間より長くなった場合に、前記準備状態から前記待機状態に移行する起因となる第４トリガを発生することを特徴とする請求項６に記載の情報処理装置。
【請求項８】
当該情報処理装置の周囲の環境情報を取得する環境情報取得部と、
前記環境情報に基づいて、情報を出力していない待機状態から情報を出力している情報出力状態へ移行する準備段階である準備状態の保持時間を調整することを特徴とする情報処理装置。
【請求項９】
当該情報処理装置の周囲の環境情報を取得する環境情報取得部と、
前記環境情報の変化が、人為的行為であるか自然現象であるかを推定し、前記環境情報の変化が人為的行為であると推定された場合に前記準備状態を延長する起因となる第５トリガを発生する第５トリガ発生部と
を有することを特徴とする情報処理装置。
【請求項１０】
前記準備状態に移行後、前記情報出力状態に移行しなかった場合に、前記設定された時間を、より長く設定することを特徴とする請求項９に記載の情報処理装置。
【請求項１１】
前記準備状態に移行後、前記情報出力状態に移行した場合に、
前記設定された時間を、より短く設定することを特徴とする請求項９に記載の情報処理装置。
【請求項１２】
音声情報又は映像情報を出力する情報出力状態と、
前記音声情報又は前記映像情報を出力せず、前記情報出力状態よりも電力消費が少ない待機状態と、
前記音声情報及び前記映像情報を出力せず、情報出力が指示された場合に前記情報出力状態へ移行する際にかかる時間が前記待機状態から前記情報出力状態へ移行する際にかかる時間よりも短い準備状態と、
周囲の環境情報を取得する環境情報取得部と、を有し、
環境変化が、予め定められたしきい値に達した場合に前記待機状態から前記準備状態に移行し、
予め定められた時間内に、前記情報出力状態への移行信号を受信した場合に前記準備状態から前記情報出力状態に移行し、
前記準備状態への移行信号を受信した場合に前記情報出力状態から前記準備状態へ移行し、
前記準備状態に移行してからの経過時間が予め設定されたより長くなった場合に前記準備状態から前記待機状態へ移行することを特徴とする情報処理装置。
【請求項１３】
前記準備状態であるときに環境変化の発生を検出した場合に、前記経過した時間を予め設定された時間にすることを特徴とする請求項１２に記載の情報処理装置。
【請求項１４】
周囲の照度に応じた映像表示の明るさを変化させるための照度センサを備え、
前記映像表示のための情報を出力していない状態においても前記照度センサにより周囲の照度を測定することを特徴とする請求項１から１３までのいずれか１項に記載の情報処理装置。
【請求項１５】
前記照度センサの測定値が前記情報処理装置の状態を移行する起因となる
ことを特徴とした請求項１４に記載の情報処理装置。
【請求項１６】
前記環境情報取得部はセンサであり、
前記第１トリガ発生部は、前記センサの測定値の予め定められた時間当たりの変化量が予め定められた値を越えて変化した場合に前記第１トリガを発生させることを特徴とする請求項３又は４に記載の情報処理装置。
【請求項１７】
前記環境情報取得部はカメラであり、
前記第１トリガ発生部は、前記カメラの撮影映像の予め定められた時間当たりの変化量が予め定められた値を越えて変化した場合に人為的行為と判断することを特徴とする請求項３又は４に記載の情報処理装置。
【請求項１８】
前記環境情報取得部はセンサであり、
前記第５トリガ発生部は、前記センサの測定値の予め定められた時間当たりの変化量が予め定められた値を越えて変化した場合に、人為的行為と判断することを特徴とする請求項９に記載の情報処理装置。
【請求項１９】
前記環境情報取得部はセンサであり、
前記第５トリガ発生部は、前記センサの測定値が予め定められた値を越えて変化した場合に、人為的行為と判断することを特徴とする請求項９に記載の情報処理装置。
【請求項２０】
前記センサは、当該情報処理装置の周囲の照度情報を取得する照度センサであることを特徴とする請求項１６、１８又は１９のいずれか１項に記載の情報処理装置。
【請求項２１】
前記センサは、当該情報処理装置の周囲の温度情報を取得する温度センサであることを特徴とする請求項１６、１８又は１９のいずれか１項に記載の情報処理装置。
【請求項２２】
前記センサは、当該情報処理装置の周囲の湿度情報を取得する湿度センサであることを特徴とする請求項１６、１８又は１９のいずれか１項に記載の情報処理装置。
【請求項２３】
前記センサは、当該情報処理装置の周囲の音声情報を取得するマイクであることを特徴とする請求項１６、１８又は１９のいずれか１項に記載の情報処理装置。
【請求項２４】
前記センサは、当該情報処理装置の周囲の人体情報を取得する人体検知センサであることを特徴とする請求項１６、１８又は１９のいずれか１項に記載の情報処理装置。
【請求項２５】
前記環境情報取得部はカメラであり、
前記第５トリガ発生部は、前記カメラの撮影映像の予め定められた時間当たりの変化量が予め定められた値を越えて変化した場合に人為的行為と判断することを特徴とする請求項３又は４に記載の情報処理装置。
【発明の詳細な説明】
【技術分野】
【０００１】
本発明は、情報処理装置、テレビジョン放送受像機及びテレビジョン放送記録再生機等の電子機器に関し、特にこれらの電子機器の起動時間を短縮する技術に関する。
【背景技術】
【０００２】
デジタルテレビジョン放送が開始され高解像・高精細な映像音声がテレビジョン放送受信機で視聴できるようになった。また、ほぼ時を同じくして、テレビジョン放送受信機のネットワーク対応化が進んでいる。テレビジョン放送受信機のＯＳ（Ｏｐｅｒａｔｉｎｇ  Ｓｙｓｔｅｍ）がこれまでのＩＴＲＯＮに代表されるリアルタイム性を重視したＯＳから、Ｌｉｎｕｘに代表されるネットワーク対応ＯＳになりつつある。【０００３】
ネットワーク対応ＯＳへの変更によりＯＳの起動時間やアプリケーションプログラムの起動時間が長くなっている。すなわち、ＯＳの起動には、システム全体の初期化と各ハードウエアの初期化とを実行する必要があり、これらの処理に時間を要する。また、アプリケーションプログラムによりデジタル放送を受信し表示するためには、さらにチューナやデコーダ、表示デバイスなどについて細かく設定する必要があり、時間がかかる。すなわち、利用者が電源スイッチを押してから表示されるまでの時間がかかるようになった。【０００４】
利用者は、電源スイッチを押した瞬間に映像や音声が出力されることを好むため、利用者はここで時間がかかることを不満に感じる。このような利用者の要望を実現するためにＯＳの起動時間を短縮すれば良く、その課題に取り組んだ例として、特許文献１が挙げられる。特許文献１は、時間を要する処理を並列化して同時進行させることにより、起動時間の短縮化を図った技術を開示するものである。
【特許文献１】特開２００４−２１３５３０号公報
【発明の開示】
【発明が解決しようとする課題】
【０００５】
しかしながら、特許文献１に記載の技術では、複数の並列処理において最も長い処理に起動時間が収斂するため、デジタルテレビジョン放送受信機のようにチューナ又はデコーダ等の初期起動に時間を要する装置を包含している場合には、大幅な起動時間の短縮は難しい。【０００６】
また、起動時間を短縮化するために、常にＯＳを起動状態にし受信放送を継続的にデコードする方法も考えられるが、この方法では従来使用されているデジタルテレビジョン放送受像機よりも消費電力が大幅に増大するという問題点がある。【０００７】
本発明の目的は、情報処理装置などの電子機器において、電源が投入されてから実際に映像が表示され又は音声が出力されるまでの時間を短縮するとともに、消費電力の増大も抑制することである。
【課題を解決するための手段】
【０００８】
本発明の一観点によれば、当該情報処理装置の周囲の環境情報を取得する環境情報取得部と、前記環境情報に基づいて、情報を出力していない待機状態から情報を出力している情報出力状態へ移行する準備段階である準備状態に移行することを特徴とする情報処理装置である。前記準備状態は、前記待機状態から前記情報出力状態への移行時間よりも該情報出力状態への移行時間を短くするために必要な回路への電力供給を行なっている状態であることを特徴とする。この情報処理装置においては、発生した前記第1トリガにより前記待機状態から前記準備状態に移行させる際の移行速度を高めつつ、消費電力の増大を抑制することができる。【０００９】
また、当該情報処理装置の周囲の環境情報を取得する環境情報取得部と、前記環境情報の変化が、予め定められたしきい値に達した場合に、待機状態から準備状態に移行する起因となる第1トリガを発生する第1トリガ発生部を備えることを特徴とする情報処理装置が提供される。発生した第1トリガにより前記待機状態から前記準備状態に移行することにより、さらに情報出力状態への移行時間を早めるとともに、消費電力の増大を抑制することができる。【００１０】
また、前記準備状態への移行指令信号を受信し、前記情報出力状態から前記準備状態に移行する起因となる第３トリガを発生する第３トリガ発生部を備えることが好ましい。発生した第３トリガにより前記情報出力状態から前記準備状態に移行する際に、移行速度を速めることができる。【００１１】
また、前記準備状態に移行してからの時間を計測する時間計測部と、該時間計測部が計測した時間に基づいて、前記準備状態から前記待機状態に移行する起因となる第４トリガを発生する第４トリガ発生部とを備えることが好ましい。前記記第４トリガ発生部は、前記時間計測部が保持する経過時間と、予め設定された時間と、を比較し、前記経過時間が前記設定された時間より長くなった場合に、前記準備状態から前記待機状態に移行する起因となる第４トリガを発生することを特徴とする。これにより、前記発生した第４トリガにより前記準備状態から前記待機状態に移行することで、消費電力のさらなる抑制を行なうことができる。【００１２】
本発明の他の観点によれば、当該情報処理装置の周囲の環境情報を取得する環境情報取得部と、前記環境情報に基づいて、情報を出力していない待機状態から情報を出力している情報出力状態へ移行する準備段階である準備状態の保持時間を調整することを特徴とする情報処理装置が提供される。また、当該情報処理装置の周囲の環境情報を取得する環境情報取得部と、前記環境情報の変化が、人為的行為であるか自然現象であるかを推定し前記環境情報の変化が人為的行為であると推定された場合に前記準備状態を延長する起因となる第５トリガを発生する第５トリガ発生部とを有することを特徴とする情報処理装置が提供される。これにより、準備状態の保持時間を調整し情報処理装置の使い勝手の向上させることができる。【００１３】
前記準備状態に移行後、前記情報出力状態に移行しなかった場合に、前記設定された時間を、より長く設定することが好ましい。これにより、使われ方の応じて準備状態の保持時間を調整することができる。前記準備状態に移行後、前記情報出力状態に移行した場合に、前記設定された時間を、より短く設定することが好ましい。【００１４】
本発明の別の観点によれば、音声情報又は映像情報を出力する情報出力状態と、前記音声情報又は前記映像情報を出力せず、前記情報出力状態よりも電力消費が少ない待機状態と、前記音声情報及び前記映像情報を出力せず、情報出力が指示された場合に前記情報出力状態へ移行する際にかかる時間が前記待機状態から前記情報出力状態へ移行する際にかかる時間よりも短い準備状態と、周囲の環境情報を取得する環境情報取得部と、を有し、環境変化が、予め定められたしきい値に達した場合に前記待機状態から前記準備状態に移行し、予め定められた時間内に、前記情報出力状態への移行信号を受信した場合に前記準備状態から前記情報出力状態に移行し、前記準備状態への移行信号を受信した場合に前記情報出力状態から前記準備状態へ移行し、前記準備状態に移行してからの経過時間が予め設定されたより長くなった場合に前記準備状態から前記待機状態へ移行することを特徴とする情報処理装置が提供される。
【発明の効果】
【００１５】
本発明によれば、情報処理装置などの電子機器において、電源が投入されてから実際に映像が表示され又は音声が出力されるまでの時間を短縮するとともに、消費電力の増大も抑制することができる。
【図面の簡単な説明】
【００１６】
【図１】本実施の形態による電子機器の例として示す液晶テレビジョン受像装置（液晶テレビ）の一構成例を示す機能ブロック図である。
【図２】待機状態の回路の動作状態を示すブロック図である。
【図３】回路の準備状態における動作状況例を示すブロック図である。
【図４】情報出状態における回路の動作状態の例を示す図である。
【図５】待機状態と準備状態と情報出力状態との状態の遷移を示す状態遷移図である。
【図６】待機状態から準備状態への移行動作の流れを示すフローチャート図である。
【図７】準備状態から情報出力状態への移行動作の流れを示すフローチャート図である。
【図８】情報出力状態から準備状態への移行動作の流れを示すフローチャート図である。
【図９】準備状態から待機状態への移行動作の流れを示すフローチャート図である。
【図１０】待機状態から情報出力状態への移行動作の流れを示すフローチャート図である。
【図１１】本発明の第１実施例によるテレビジョン受像機の概観構成例を示す図である。
【図１２】図１２は対応する上記実施の形態による回路ブロック図である。
【図１３】第１トリガを発生する処理の流れを示すフローチャート図である。
【図１４】時間に対する照度の変化例を示す図である。
【図１５】時間に対する照度の値と変化量とを示す図である。
【図１６】図１５に対応する図であり、照度の変化が式1の分母Δｔｎに比較してごく短時間である例を示す図である。
【図１７】図１５に対応する図であり、ｔ２とｔ３との間に示すように照度値の変化分が分母Δｔｎに比較して小さい場合を示す図である。
【符号の説明】
【００１７】
１０１  アンテナ
１０２  チューナ
１０３  デコーダ
１０４  音声処理部
１０５  アンプ部
１０６  スピーカ（音声出力端子）
１０７  映像処理部
１０８  表示装置駆動回路
１０９  表示装置（映像出力端子）
１１０  バックライト
１１１  制御部（状態設定装置の一部）
１１２  中央プロセッシングユニット
１１３  ＲＡＭ
１１４  ＲＯＭ
１１５  環境情報取得部
１１６  トリガ発生部（状態設定装置の一部）
１１６−１  第１トリガ発生部
１１６−２  第２トリガ発生部
１１６−３  第３トリガ発生部
１１６−４  第４トリガ発生部
１１６−５  第５トリガ発生部
１１６−６  第６トリガ発生部
１１７  電源管理部
１１８  電源
１１９  電源ライン
１２０  制御ライン
１２１  クロック
１２２  時間計測部
１２３  視聴情報提示手段（表示装置、スピーカを含む。）
２０１  稼動している部分
３０１  稼動している部分
４０１  稼動している部分
５０１  待機状態     
５０２  準備状態
５０３  情報出力状態
５０４  待機状態から準備状態への移行
５０５  準備状態から情報出力状態への移行
５０６  情報出力状態から準備状態への移行
５０７  準備状態から待機状態への移行
５０８  待機状態から情報出力状態への移行
５０９  準備状態の保持
１１１０  テレビジョン受像機
１２００  電源スイッチ
１２０１  リモコン受光部
１２０２  照度センサ
１２０３  マイク
１２０４  カメラ
１４００  カーテンが開けられた瞬間
【発明を実施するための最良の形態】
【００１８】
次に、本発明の一実施の形態による電子機器について図面を参照しつつ説明を行う。本実施の形態による電子機器においては、以下に説明する３つの状態をとりうる。【００１９】
１）情報出力状態
この状態は、電子機器が情報を出力している状態である。例えば、テレビジョン放送受信機においては、映像情報や音声情報が出力され視聴できる状態である。テレビジョン放送記録再生機の場合、映像音声（ＡＶ）出力端子へ映像情報や音声情報を出力している状態である。厳密には出力とは言えないが情報を録画している状態も含む。【００２０】
２）待機状態
この状態は、電子機器が情報を出力しておらず、情報出力状態よりも消費電力の少ない状態である。例えば、ＣＰＵ（Ｃｅｎｔｒａｌ  Ｐｒｏｃｅｓｓｉｎｇ  Ｕｎｉｔ）のクロック周波数を低くする、ＣＰＵの動作を停止させる、或いは、放送波を復調、デコードしない、或いは、使用しない回路ブロックの電源を遮断するなどの状態が挙げられる。【００２１】
３）準備状態
この状態は、電子機器が情報を出力しておらず、待機状態よりも消費電力が大きいが、情報出力状態への移行時間は短い状態を言う。例えば、テレビジョン放送受信機の場合、情報出力状態から視聴情報提示手段（少なくとも後述する図１の表示装置１０９、スピーカ１０６）の出力をＯＦＦした状態である。テレビジョン放送記録再生機の場合は、情報出力状態からＡＶ出力端子への出力をＯＦＦした状態である。或いは、記録媒体へ書き込み（出力）していない状態である。【００２２】
次に、上記３つの状態から、それぞれ別の状態へ移行する起因となるトリガを以下のように定義する。【００２３】
１）第１トリガ：待機状態から準備状態に移行する起因となるトリガである。【００２４】
２）第２トリガ：準備状態から情報出力状態に移行する起因となるトリガである。【００２５】
３）第３トリガ：情報出力状態から準備状態に移行する起因となるトリガである。【００２６】
４）第４トリガ：準備状態から待機状態に移行する起因となるトリガである。【００２７】
５）第５トリガ：準備状態を延長するトリガである。準備状態に移行してからの経過時間の値を、例えば予め設定された値へ変更するためにに発生する。【００２８】
６）第６トリガ：待機状態から情報出力状態に移行する起因となるトリガである。【００２９】
従来の電子機器では、「待機状態」、「情報出力状態」の２つの状態をとりうるが、本実施の形態では第３の状態である「準備状態」を用意することにより上記課題を解決する。【００３０】
図５は、上記３つの状態に関する状態遷移図である。図５に示すように、待機状態５０１と、準備状態５０２と、情報出力状態５０３と、の間では、待機状態５０１から準備状態５０２への遷移５０４と、準備状態５０２から情報出力状態５０３への遷移５０５と、情報出力状態５０３から準備状態５０２への遷移５０６と、準備状態５０２から待機状態５０１への遷移５０７と、待機状態５０１から情報出力状態５０３への遷移５０８と、を有する。なお、それぞれの状態は、その状態への遷移中も含む。【００３１】
図１は、本実施の形態による電子機器の例として示す液晶テレビジョン受像装置（液晶テレビ）の一構成例を示す機能ブロック図である。図１に示すように、本実施の形態による電子機器は、放送波を受信するアンテナ１０１と、受信した放送波を復調するチューナ１０２と、符号化された映像を復号化するデコーダ１０３と、符号化された音声信号をアナログ音声信号に変換する音声処理部１０４と、アナログ音声信号を増幅するアンプ部１０５と、スピーカ（音声出力端子）１０６と、映像信号の画質を調整する映像処理部１０７と、映像信号を表示装置に表示する信号に変換する表示装置駆動回路１０８と、映像を表示する表示装置（映像出力端子）１０９と、バックライト１１０と、機器全体の制御を行う制御部１１１と、中央プロセッシングユニット１１２と、ＲＡＭ１１３と、ＲＯＭ１１４と、センサ１１５と、センサからの検出信号を解析して適切なトリガを発生するトリガ発生部１１６（第１〜第６トリガ発生部１１６−１〜１１６−６及び時間計測部を含む。）と、機器内の各部の電源をＯＮ／ＯＦＦを管理する電源管理部１１７と、電源１１８と、電源ライン１１９と、制御ライン１２０と、回路の動作周波数を決定するクロック１２１と、時間を計測する時間計測部１２２と、を有する。【００３２】
以下に、３つの状態、及びそれらの状態を移行する条件と手順とについて説明する。【００３３】
（１）待機状態５０１について図１と図２を参照して説明する。図２は、待機状態における回路の動作を示す図である。待機状態では、電源１１８から供給される電力により、破線２０１で囲まれた制御部１１１、トリガ発生部１１６、センサ１１５、電源管理部Ａ１１７−１が動作している。【００３４】
それ以外の機能ブロックへは、電源管理部Ａ１１７−１からの電力供給がなされていない。又は電源管理部Ａ１１７−１からの電力供給がなされていても、該当する機能ブロックが仕様上必要とする最低限の電力供給のみが行われている。これらの機能ブロックが実際に動作するために必要な電力供給と比べると少ない。ここで、センサ１１５は、電子機器の周囲の状況を感受し、その結果をトリガ発生部１１６へ出力している。トリガ発生部１１６では、センサ１１５からの出力を解析し、第１トリガの条件に合致した入力があれば、第１トリガ発生部１１６−１が第１トリガを生成し、準備状態への移行を開始する。第１トリガ発生部１１６−１は制御部に含まれていても良い。【００３５】
制御部１１１の稼動状態に関してはさまざまな状態が考えられるが、例えばクロック１２１信号の周波数を下げた状態で稼動するか、或いはＲＡＭ１１３のみ電力供給しＣＰＵ１１２とＲＯＭ１１４との電力は遮断するか、或いはＲＡＭ１１３のデータをＲＯＭ１１４（この場合は、書き換え可能なＦＬＡＳＨ  ＲＯＭである。）へ書き写した後に制御部１１１内の全て電力遮断する、など一般的な消費電力削減手法を用いることができる。【００３６】
消費電力削減方法としては、待機状態から他の状態に移行する際に必要な時間と、削減される消費電力と、がトレードオフの関係にあるため、機器の設計仕様により決定される。【００３７】
ここでは、一例として、待機状態にある制御部１１１は、ＣＰＵ１１２への電力供給は停止するがＲＡＭ１１３への電源供給は停止しない、いわゆる、サスペンドモード、もしくは、スタンバイモードを用いているものとして以下の説明を行う。【００３８】
尚、制御部１１１がサスペンドモードから電力供給が普通に行われる通常動作モードへの復帰は、一般的には、割り込みコントローラの出力を電力供給開始のトリガとすることで行われる。これにより、制御部１１１に対して、外部からの何かしらの刺激を起因として、もしくは、制御部１１１の内部タイマの経過などを起因として、サスペンドモードから通常モードに復帰することができる。また、通常動作モードからサスペンドモードに移行するには、専用の命令を実行する方法や、特定のレジスタをアクセスする方法などがある。【００３９】
このようなサスペンドモードにある制御部１１１においては、ＯＳはアイドル状態で停止している。すなわち、アプリケーションプログラムにおいて、これ以上行うべき処理が無くなり、また、ＯＳにおいても、これ以上行うべき処理が無くなったため、システム全体としてアイドル状態になり、その時点でサスペンドモードに移行することで、次に何かしら必要な処理が発生し、その処理を行うためにＯＳが再開するまで、ＣＰＵ１１２の電力消費を抑えることができる。【００４０】
また、サスペンドモードに移行する前に、待機状態時に電源供給が停止されるハードウエアに設定しているデータをＲＡＭ１１３上へ退避させておくことにより、サスペンドモードから通常動作モードへの復帰時に、それらのデータをＲＡＭ１１３上から読み出し再設定することで、これらのハードウエアの状態を待機状態に入る前の状態に、迅速に復帰させることが可能となる。但し、待機状態は、少なくとも第１トリガ及び第６トリガを発生することができる状態であれば良く、サスペンドモードに限定されるものではない。【００４１】
（２）準備状態５０２について図３を参照して説明する。図３は、回路の準備状態における動作状況例を示すブロック図である。【００４２】
準備状態５０２では、電源１１８から供給される電力により、破線３０１で囲まれた、アンテナ１０１、チューナ１０２、デコーダ１０３、音声処理部１０４、アンプ部１０５、映像処理部１０７、表示装置駆動回路１０８、制御部１１１、トリガ発生部１１６、センサ１１５、電源管理部Ａ１１７−１、電源管理部Ｂ１１７−２が動作している。それ以外の機能ブロックへは、電源管理部Ｂ１１７−２により電力供給がなされていない、或いは電力供給がなされていても、該当する機能ブロックが仕様上必要とする最低限の電力供給のみが行われている。【００４３】
センサ１１５は周囲の状況を感受し、結果をトリガ発生部１１６へ出力している。トリガ発生部１１６では、センサ１１５の出力を解析し、第２トリガの条件に合致した入力があれば、第２トリガ発生部１１６−２が第２トリガを生成し、情報出力状態への移行５０５を開始する。情報出力状態への移行５０５については後述する。第２トリガとは、準備状態から情報出力状態に移行を開始する契機となる事象のことである。具体的にどのような事象であるかについては後述する。第２トリガ発生部１１６−２は制御部１１１に含まれていても良い。【００４４】
制御部１１１は、ＣＰＵ１１２、ＲＡＭ１１３、ＲＯＭ１１４共に電力供給がされＯＳが動作しており、その上でアプリケーションプログラムが動作している状態である。また、このとき、アプリケーションプログラムは、その内部状態として、「準備状態」を保持することになり、「準備状態」に対応する処理を行う。【００４５】
チューナ１０２は、放送波の受信を行い受信信号の復調を行っており、映像信号をデコーダ１０３へ、音声信号を音声処理部１０４へ出力している。上記映像信号が入力したデコーダ１０３は、符号圧縮された映像信号の復号処理を行っており、映像処理部１０７へ復号済み映像データを出力している。上記音声信号が入力した音声処理部１０４は、符号圧縮された音声信号の復号処理を行っており、アンプ部１０５へ復号済み音声データを出力している。上記復号済み映像データを入力された表示装置駆動回路１０８は、データの画質調整を行っており、表示装置１０９が表示できるデータに変換するが、データを表示装置１０９へは出力しないか、もしくは真っ黒な画面を表示する。【００４６】
復号済み音声データを入力されたアンプ部１０５は、データを増幅せず、スピーカ１０６へも出力しない。アンプ部１０５の電源投入から音声出力されるまでの時間が十分高速であれば、アンプ部１０５への電源を遮断しても良い。電源管理部Ｂ１１７−２は、表示装置１０９及びバックライト１１０へ電力を供給しない。時間計測部１２２は、準備状態５０２に移行してからの経過時間を計測しており、トリガ発生部１１６に含まれている。経過時間が予め設定されたある値（例えば５分間）以上になると、トリガ発生部１１６−４は待機状態５０１に移行する起因となる第４トリガを生成する。準備状態５０２から待機状態５０１への移行の詳細は後述する。時間計測部１２２及び第４トリガ発生部１１６−４は制御部１１１に含まれていても良い。【００４７】
ここで、準備状態は、情報出力状態へ移行するために必要な時間の短縮を目的として、設けられている状態であり、本実施の形態において説明した状態に限らず、待機状態から情報出力状態に至るまでの間の一つの状態を準備状態として定義する。【００４８】
具体的には、ＣＰＵ１１２が待機状態からサスペンドモードに変更された状態又はスタンバイモードから通常動作モードにモード変更された状態を準備状態として使用しても良い。また、チューナ１０２が放送波の受信をしている状態、チューナ１０２が出力したデータをデコーダ１０３が復号処理を行う状態、又は映像処理部１０７がデコーダ１０３から出力されるデータに対して映像処理を施している状態を準備状態としても良い。【００４９】
また、表示装置駆動回路１０８が映像処理部１０７から出力されるデータを表示装置１０９が表示可能なデータ形式に変換を行うが前記データを表示装置１０９へは出力しない状態、又は黒色の画面を表示する状態を準備状態としても良い。また、音声処理部１０４がチューナ１０２から出力されたデータに対して復号処理を行っている状態、又はアンプ部１０５が音声処理部１０４から出力された復号済み音声データを増幅せず、スピーカ１０６へも音声を出力しない状態を準備状態としても良い。【００５０】
（３）情報出力状態５０３について図４を参照しつつ説明する。図４は、情報出力状態における回路の動作状態の例を示す図である。【００５１】
情報出力状態５０３では、電源１１８から供給される電力により、破線４０１で囲まれたアンテナ１０１、チューナ１０２、デコーダ１０３、音声処理部１０４、アンプ部１０５、スピーカ１０６、映像処理部１０７、表示装置駆動回路１０８、表示装置１０９、バックライト１１０、制御部１１１、トリガ発生部１１６、センサ１１５、電源管理部Ａ１１７−１、電源管理部Ｂ１１７−２が動作している。【００５２】
センサ１１５は周囲の状況を感受し、その結果をトリガ発生部１１６へ出力している。トリガ発生部１１６では、センサ１１５の出力を解析し、必要に応じて制御部１１１への通知、或いは電源管理部Ａ１１７−１、電源管理部Ｂ１１７−２の制御を行う。例えば、周囲の明るさに変化があれば、トリガ発生部１１６は電源管理部Ｂ１１７−２に対してバックライト１１０の明るさを変更するよう指示を出す。例えば、周囲がより明るくなれば、利用者が見やすいように、バックライト１１０の明るさを弱める。外部から電源ＯＦＦの指示があれば、待機状態への移行５０７を開始するように各部への指示を出す。待機状態への移行５０７については後述する。【００５３】
制御部１１１においては、ＣＰＵ１１２、ＲＡＭ１１３、ＲＯＭ１１４が共に電力供給されており、ＯＳが動作しており、ＯＳ上でアプリケーションプログラムが動作している状態である。また、このとき、アプリケーションプログラムは、その内部状態として、「情報出力状態」を保持することになり、「情報出力状態」に対応する処理を行う。【００５４】
チューナ１０２は、放送波の受信を行い受信信号の復調を行っており、映像信号をデコーダ１０３へ出力し、音声信号を音声処理部１０４へ出力している。制御部１１１からチャンネル変更の指示があると、チャンネル周波数の変更が行われる。映像信号が入力されたデコーダ１０３は、符号圧縮された映像信号の復号処理を行っており、映像処理部１０７へ復号済み映像データを出力している。音声信号が入力された音声処理部１０４は、符号圧縮された音声信号の復号処理を行っており、アンプ部１０５へ復号済み音声データを出力している。【００５５】
復号済み映像データが入力された表示装置駆動回路１０８は、データの画質調整を行っており、表示装置１０９が表示できるデータに変換して表示装置１０９へ出力している。復号済み音声データが入力されたアンプ部１０５は、データを増幅し、スピーカ１０６へ出力する。電源管理部Ｂ１１７−２は、表示装置１０９及びバックライト１１０に対して電力を供給しており、表示装置１０９では表示装置駆動回路１０８において生成されたデータを表示し、バックライト１１０はトリガ発生部１１６から指示された明るさで点灯する。【００５６】
（４）待機状態から準備状態への移行５０４について図６を参照して説明する。図６は、待機状態から準備状態への移行を示す一連のフローチャート図であり、トリガ発生部１１６のフローチャート図、電源管理部Ａ１１７−１のフローチャート図、制御部１１１のフローチャート図がそれぞれ示されている。これらは独立して動作しているとして説明を行う。【００５７】
まず、トリガ発生部１１６での移行処理について説明する。ステップＳ６０１において、センサ１１５は外部からの情報を取得する。ステップＳ６０２において、トリガ発生部１１６はセンサ１１５が取得した情報を解析する。ステップＳ６０３において、ステップＳ６０２における解析結果から第１トリガが生成可能な場合は、次のステップＳ６０４に進む。第１トリガが生成不能な場合は、ステップＳ６０１に戻る。第１トリガとは、待機状態から準備状態に移行を開始するきっかけとなる事象のことである。具体的にどのような事象であるかについては後述する。ステップＳ６０４において、第１トリガ発生部１１６−１は第１トリガを生成する。以上のステップで、トリガ発生部１１６は移行処理を終える。【００５８】
次に、電源管理部Ａ１１７−１での移行処理について説明する。ステップＳ６１１において、電源管理部Ａ１１７−１は、トリガ発生部１１６からの第１トリガがあれば、次のステップＳ６１２に進む。トリガ発生部１１６からの第１トリガがなければ、ステップＳ６１１の処理を繰り返す。ステップＳ６１２において、電源管理部Ａ１１７−１は、準備状態で動作する必要のある各機能ブロックに対して、電力を供給する。具体的には、チューナ１０２、デコーダ１０３、音声処理部１０４、アンプ部１０５、映像処理部１０７、表示装置駆動回路１０８、及び、電源管理部Ｂ１１７−２へ電力を供給する。以上のステップで、電源管理部Ａ１１７−１は移行処理を終える。【００５９】
次に、制御部１１１での移行処理を説明する。ステップＳ６２１において、制御部１１１は、トリガ発生部１１６からの第１トリガがあれば、次のステップＳ６２２に進む。第１トリガがなければ、ステップＳ６２１の処理を繰り返す。ステップＳ６２２において、制御部１１１は電力削減状態から通常に稼動する状態に復帰する。このとき、制御部１１１では、サスペンドモードにあったＣＰＵ１１２に対して電力供給が行われ、通常動作モードに移行し、停止していたＯＳが再開する。ステップＳ６２３において、制御部１１１上で再開したＯＳは、準備状態で動作する必要のある各機能ブロックの起動が全て完了したか否かを判断し、起動が全て完了していれば、ステップＳ６２７に進む。起動が完了していなければ、次のステップＳ６２４に進む。ここで、準備状態で動作する必要のある各機能ブロックとは、具体的には、チューナ１０２、デコーダ１０３、音声処理部１０４、アンプ部１０５、映像処理部１０７、表示装置駆動回路１０８、及び、電源管理部Ｂ１１７−２である。【００６０】
ステップＳ６２４では、まだ起動を行っていない機能ブロックに対して、それが制御可能となっているか否かを判断する。制御可能となっていなければステップＳ６２３に戻る。制御可能となっていれば次のステップＳ６２５に進む。ステップＳ６２５では、ＯＳは、その該当する機能ブロックに対して起動の指示を出す。ステップＳ６２６では、ＯＳは、待機状態５０１に移行する時に、予めＲＡＭ１１３へ退避させておいた、上記該当する機能ブロックの設定データを用いて再設定を行い、ステップＳ６２３に戻る。尚、電源管理部Ａ１１７−１からの電力供給のみで起動する機能ブロックに対しては、ステップＳ６２５、及び、ステップＳ６２６の処理は行わなくてもよい。【００６１】
ステップＳ６２７では、ＯＳからアプリケーションプログラムに処理が戻る。そして、アプリケーションプログラムは、それが使用する内部状態を、「準備状態」へ変更する。以降、アプリケーションプログラムは、「準備状態」に対応する処理を行う。以上のステップで、制御部１１１は移行処理を終える。【００６２】
尚、ステップＳ６２３に入ってからステップＳ６２７に至るまでに、該当する機能ブロックでは、以下のような処理が行われる。【００６３】
起動指示を受けたチューナ１０２は、放送波の受信を行い受信信号の復調を行い、映像信号をデコーダ１０３へ出力し、音声信号を音声処理部１０４へ出力する。映像信号が入力されたデコーダ１０３は、符号圧縮された映像信号の復号処理を行い、映像処理部１０７へ復号済み映像データを出力する。また、音声信号が入力された音声処理部１０４は、符号圧縮された音声信号の復号処理を行い、アンプ部１０５へ復号済み音声データを出力する。【００６４】
復号済み映像データが入力された表示装置駆動回路１０８は、復号済み映像データの画質調整を行い、表示装置１０９が表示できるデータに変換する。但し、このデータを表示装置１０９へは出力しない。また、上記復号済み音声データが入力されたアンプ部１０５は、復号済み音声データを増幅せず、スピーカ１０６へも出力しない。尚、アンプ部１０５の電源投入から音声出力されるまでの時間が充分高速であれば、アンプ部１０５への電源を遮断したままでも良い。電源管理部Ｂ１１７−２は、表示装置１０９及びバックライト１１０へ電力を供給しない状態で保持しておく。上記の手順により、待機状態から準備状態への移行を完了する。【００６５】
また、上記移行作業を行っている最中に、第２トリガが発行されれば引き続き情報出力状態へ移行する。【００６６】
（５）準備状態から情報出力状態への移行５０５について図７を参照しつつ説明する。図７は、準備状態から情報出力状態への移行処理の流れを示す一連のフローチャート図であり、トリガ発生部１１６のフローチャート図、電源管理部Ｂ１１７−２のフローチャート図、制御部１１１のフローチャート図をそれぞれ示している。これらは独立して動作しているものとして説明を行う。【００６７】
まず、トリガ発生部１１６での移行処理について説明する。ステップＳ７０１において、センサ１１５は外部からの情報を取得する。ステップＳ７０２において、トリガ発生部１１６はセンサ１１５が取得した情報を解析する。ステップＳ７０３において、上記解析結果から第２トリガが生成可能な場合、次のステップＳ７０４に進む。第２トリガが生成不能な場合は、ステップＳ７０１に戻る。ステップＳ７０４において、第２トリガ発生部１１６−２は第２トリガを生成する。【００６８】
以上のステップで、トリガ発生部１１６は移行処理を終える。次に、電源管理部Ｂ１１７−２での移行処理について説明する。ステップＳ７１１において、電源管理部Ｂ１１７−２は、トリガ発生部１１６からの第２トリガがあれば、次のステップＳ７１２に進む。第２トリガがなければ、ステップＳ７１１の処理を繰り返す。ステップＳ７１２において、電源管理部Ｂ１１７−２は、情報出力状態で動作する必要のある各機能ブロックに対して、電力を供給する。具体的には、表示装置１０９とバックライト１１０へ電力を供給する。【００６９】
以上のステップで、電源管理部Ｂ１１７−２は移行処理を終える。次に、制御部１１１での移行処理について説明する。ステップＳ７２１において、制御部１１１は、トリガ発生部１１６からの第２トリガがあれば、次のステップＳ７２２に進む。第２トリガがなければ、ステップＳ７２１を繰り返す。ステップＳ７２２において、制御部１１１上で動作しているＯＳは、情報出力状態にするにあたって制御の必要のある各機能ブロックの設定が全て完了しているか否かを判断し、各機能ブロックの設定が完了していれば、ステップＳ７２４に進む。完了していなければ、次のステップＳ７２３に進む。ここで、制御の必要な各機能ブロックとは、具体的には、アンプ部１０５と表示装置駆動回路１０８である。【００７０】
ステップＳ７２３では、ＯＳは、情報出力状態５０３に移行する時に、予めＲＡＭ１１３へ退避させておいた機能ブロックの設定データを用いて再設定を行い、ステップＳ７２２に戻る。ステップＳ７２４では、ＯＳからアプリケーションプログラムに処理が戻る。そして、アプリケーションプログラムは、それが使用する内部状態を、「情報出力状態」へ変更する。以降、アプリケーションプログラムは、「情報出力状態」に対応する処理を行う。以上のステップで、制御部１１１は移行処理を終える。【００７１】
尚、ステップＳ７２２に入ってからステップＳ７２６に至るまでに、該当する機能ブロックでは、以下の処理が行われる。また、上記移行作業を行っている最中に、第３トリガが発行されれば処理を中断し、準備状態へ移行する。【００７２】
制御部１１１は、アンプ部１０５に音声出力指示を出し、表示装置駆動回路１０８に映像出力指示を出す。これにより、アンプ部１０５の出力は、スピーカ１０６へ出力されるとともに、表示装置駆動回路１０８の出力は、表示装置１０９へ出力され、利用者が視聴できる状態になる。上記の手順により、準備状態から情報出力状態への移行を完了する。【００７３】
（６）情報出力状態から準備状態への移行５０６について図８を参照して説明する。【００７４】
図８は、情報出力状態から準備状態への移行の流れを示す一連のフローチャート図であり、トリガ発生部１１６のフローチャート図、電源管理部Ｂ１１７−２のフローチャート図、制御部１１１のフローチャート図をそれぞれ示している。これらは独立して動作しているものとして説明する。まず、トリガ発生部１１６における移行処理について説明する。ステップＳ８０１において、センサ１１５は外部からの情報を取得する。ステップＳ８０２において、トリガ発生部１１６はセンサ１１５が取得した情報を解析する。ステップＳ８０３において、上記解析結果から電源ＯＦＦが認められた場合に、次のステップＳ８０４に進む。電源ＯＦＦが認められない場合は、ステップＳ８０１に戻る。ステップＳ８０４において、第３トリガ発生部１１６−３は第３トリガを生成する。以上のステップで、トリガ発生部１１６は移行処理を終える。【００７５】
次に、電源管理部Ｂ１１７−２での移行処理について説明する。ステップＳ８１１において、電源管理部Ｂ１１７−２は、トリガ発生部１１６からの第３トリガがあれば、次のステップＳ８１２に進む。第３トリガがなければ、ステップＳ７１１の処理を繰り返す。ステップＳ８１２において、電源管理部Ｂ１１７−２は、準備状態で動作する必要のない各機能ブロックに対する電力供給を遮断する。具体的には、表示装置１０９とバックライト１１０への電力を遮断する。以上のステップで、電源管理部Ｂ１１７−２は移行処理を終える。【００７６】
次に、制御部１１１での移行処理について説明する。ステップＳ８２１において、制御部１１１は、トリガ発生部１１６からの第3トリガがあれば、次のステップＳ８２２に進む。第3トリガがなければ、ステップＳ８２１を繰り返す。ステップＳ８２２において、制御部１１１上で動作しているＯＳは、準備状態にするにあたって制御の必要のある各機能ブロックの制御が全て完了しているか否かを判断し、完了していれば、ステップＳ８２４に進む。完了していなければ、次のステップＳ８２３に進む。ここで、準備状態にするにあたって制御の必要な各機能ブロックとは、アンプ部１０５と表示装置駆動回路１０８である。【００７７】
ステップＳ８２３では、ＯＳは、その該当する機能ブロックに設定されているデータを、次回の設定に備えてＲＡＭ１１３へ退避させた後に停止処理を行う。ステップＳ８２４では、ＯＳからアプリケーションプログラムに処理が戻る。そして、アプリケーションプログラムは、それが使用する内部状態を、「準備状態」へ変更する。以降、アプリケーションプログラムは、「準備状態」に対応する処理を行う。以上のステップで、制御部１１１は移行処理を終える。【００７８】
尚、ステップＳ８２２に入ってからステップＳ８２４に至るまでに、該当する機能ブロックでは、以下のような処理が行われる。【００７９】
制御部１１１は、アンプ部１０５に音声出力停止の指示を出し、表示装置駆動回路１０８に映像出力停止の指示を出す。これにより、アンプ部１０５の出力は、スピーカ１０６へ出力されなくなるとともに、表示装置駆動回路１０８の出力も、表示装置１０９へ出力されなくなり、利用者が視聴できない状態になる。上記の手順で、情報出力状態から準備状態への移行を完了する。また、上記移行作業を行っている最中に、第４トリガが発行されればそのまま待機状態へ移行する。【００８０】
（７）準備状態から待機状態への移行５０７について図９を参照して説明する。【００８１】
図９は、待機状態から準備状態への移行を示す一連のフローチャート図であり、トリガ発生部１１６のフローチャート図、電源管理部Ａ１１７−１のフローチャート図、制御部１１１のフローチャート図をそれぞれ示している。これらは独立して動作しているものとして説明する。【００８２】
まず、トリガ発生部１１６における移行処理について説明する。ステップＳ９０１において、トリガ発生部１１６は、待機状態へ移行する時間を設定する。これは、準備状態に入ったときに、制御部１１１から設定されるものとする（例えば５分間）。ステップＳ９０２において、時間計測部１２２から現在時間を取得する。ステップＳ９０３において、現在時間が指定時間に達したか否かを判断し、指定時間に達していれば次のステップＳ９０４に進む。指定時間に達していなければ、ステップＳ９０３の処理を繰り返す。ステップＳ９０４において、第４トリガ発生部１１６−４は第４トリガを生成する。以上のステップで、トリガ発生部１１６は移行処理を終える。【００８３】
次に、制御部１１１での移行処理を説明する。ステップＳ９２１において、制御部１１１は、トリガ発生部１１６からの第４トリガがあれば、次のステップＳ９２２に進む。第４トリガがなければ、ステップＳ９２１を繰り返す。ステップＳ６２２において、制御部１１１上で動作しているＯＳは、待機状態で動作する必要のない各機能ブロックの動作が全て停止したか否かを判断し、動作が停止していれば、ステップＳ９２４に進む。動作が停止していなければ、次のステップＳ９２５に進む。ここで、待機状態で動作する必要のない各機能ブロックとは、具体的には、チューナ１０２、デコーダ１０３、音声処理部１０４、アンプ部１０５、映像処理部１０７、表示装置駆動回路１０８、及び、電源管理部Ｂ１１７−２である。【００８４】
ステップＳ９２３では、ＯＳは、停止していない上記機能ブロックに設定されているデータをＲＡＭ１１３に保存するとともに、その機能ブロックに対して停止の指示を出し、ステップＳ９２２に戻る。停止の指示を受けた各機能ブロックは必要に応じた終了処理を行う。ステップＳ９２４では、ＯＳは、電源管理部Ａ１１７−１に電源遮断の指示を出す。【００８５】
ステップＳ９２５では、ＯＳは、スリープ状態からの復帰に備えた前処理をした後に、専用の命令を実行するか、もしくは、特別なレジスタを操作することによって、通常動作モードからサスペンドモードに移行する。これによりＣＰＵ１１２の電力の供給が停止される。以上のステップで、制御部１１１は移行処理を終える。【００８６】
次に、電源管理部Ａ１１７−１での移行処理を説明する。ステップＳ９１１において、電源管理部Ａ１１７−１は、制御部１１１からの電源遮断指示があれば、次のステップＳ９１２に進む。電源遮断指示がなければ、ステップＳ９１１を繰り返す。【００８７】
ステップＳ９１２において、電源管理部Ａ１１７−１は、準備状態で動作する必要のない各機能ブロックに対して、電源を遮断する。具体的には、チューナ１０２、デコーダ１０３、音声処理部１０４、アンプ部１０５、映像処理部１０７、表示装置駆動回路１０８、及び、電源管理部Ｂ１１７−２の電力を遮断する。或いは、ごく少量の電力のみを供給するようになる。以上のステップにより、電源管理部Ａ１１７−１は移行処理を終える。上記の手順で、待機状態から準備状態への移行を完了する。また、上記移行作業を行っている最中に、第１トリガが発行されれば処理を中断し、準備状態へ移行する。【００８８】
（８）待機状態から情報出力状態への移行５０８について図１０を参照して説明する。【００８９】
図１０は、待機状態から情報出力状態への移行を示す一連のフローチャート図であり、トリガ発生部１１６のフローチャート図、電源管理部Ａ１１７−１と電源管理部Ｂ１１７−２のフローチャート図、制御部１１１のフローチャート図をそれぞれ示している。これらは独立して動作しているものとして説明する。まず、トリガ発生部１１６での移行処理を説明する。ステップＳ１００１において、センサ１１５は外部からの情報を取得する。ステップＳ１００２において、トリガ発生部１１６はセンサ１１５が取得した情報を解析する。ステップＳ１００３において、上記解析結果から電源ＯＮが認められた場合、次のステップＳ１００４に進む。電源ＯＮが認められない場合は、ステップＳ１００１に戻る。ステップＳ１００４において、第６トリガ発生部１１６−６は第６トリガを生成する。以上のステップにより、トリガ発生部１１６は移行処理を終える。【００９０】
次に、電源管理部Ａ１１７−１と電源管理部Ｂ１１７−２での移行処理について説明する。ステップＳ１０１１において、電源管理部Ａ１１７−１と電源管理部Ｂ１１７−２は、第６トリガ発生部１１６−６からの第６トリガがあれば、次のステップＳ１０１２に進む。第６トリガがなければ、ステップＳ１０１１を繰り返す。ステップＳ１０１２において、電源管理部Ａ１１７−１は、準備状態で動作する必要のある各機能ブロックに対して、電源を供給する。具体的には、チューナ１０２、デコーダ１０３、音声処理部１０４、アンプ部１０５、映像処理部１０７、表示装置駆動回路１０８、電源管理部Ｂ１１７−２へ電力を供給する。電源管理部Ｂ１１７−２は、情報出力状態で動作する必要のある各機能ブロックに対して、電源を供給する。具体的には、表示装置１０９とバックライト１１０である。【００９１】
以上のステップで、電源管理部Ａ１１７−１と電源管理部Ｂ１１７−２は移行処理を終える。尚、電源管理部Ａ１１７−１と電源管理部Ｂ１１７−２とはそれぞれ独立して動作する。また、電源管理部Ｂ１１７−２の電力は、電源管理部Ａ１１７−１において管理されているため、ステップＳ１０１１からの電源管理部Ｂ１１７−２の処理は、電源管理部Ａ１１７−１から電力が供給されてから行われるものとする。【００９２】
次に、制御部１１１での移行処理を説明する。ステップＳ１０２１において、制御部１１１は、トリガ発生部１１６からの第６トリガがあれば、次のステップＳ１０２２に進む。第６トリガがなければ、ステップＳ１０２１を繰り返す。ステップＳ１０２２において、制御部１１１は、電力削減状態から通常に稼動する状態に復帰する。このとき、制御部１１１では、サスペンドモードにあったＣＰＵ１１２に対して電力供給が行われ、通常動作モードに移行し、停止していたＯＳが再開する。ステップＳ１０２３において、制御部１１１上で再開したＯＳは、準備状態で動作する必要のある各機能ブロックの起動が全て完了したか否かを判断し、完了していれば、ステップＳ１０２７に進む。完了していなければ、次のステップＳ１０２４に進む。ここで、準備状態で動作する必要のある各機能ブロックとは、具体的には、チューナ１０２、デコーダ１０３、音声処理部１０４、アンプ部１０５、映像処理部１０７、表示装置駆動回路１０８、及び、電源管理部Ｂ１１７−２である。【００９３】
ステップＳ１０２４では、まだ起動を行っていない機能ブロックに対して、それが制御可能となっているか否かを判断する。制御可能となっていなければステップＳ１０２３に戻る。制御可能となっていれば次のステップＳ１０２５に進む。ステップＳ１０２５では、ＯＳは、その該当する機能ブロックに対して起動の指示を出す。ステップＳ１０２６では、ＯＳは、待機状態５０２に移行する時に、予めＲＡＭ１１３へ退避させておいた、その該当する機能ブロックの設定データを用いて、再設定を行い、ステップＳ１０２３に戻る。尚、電源管理部Ａ１１７−１からの電力供給のみで起動する機能ブロックに対しては、ステップＳ１０２５、及び、ステップＳ１０２６の処理は行わなくてもよい。ステップＳ１０２７では、ＯＳは、情報出力状態にするために制御の必要となる機能ブロックの設定を行う。具体的には、その機能ブロックは、アンプ部１０５及び表示装置駆動回路１０８である。ステップＳ１０２８では、ＯＳからアプリケーションプログラムに処理が戻る。そして、アプリケーションプログラムは、それが使用する内部状態を、「情報出力状態」へ変更する。以降、アプリケーションプログラムは、「情報出力状態」に対応する処理を行う。以上のステップで、制御部１１１は移行処理を終える。【００９４】
尚、ステップＳ１０２３に入ってからステップＳ１０２８に至るまでに、該当する機能ブロックでは、以下のような処理が行われる。起動指示を受けたチューナ１０２は、放送波の受信を行い受信信号の復調を行い、映像信号をデコーダ１０３へ、音声信号を音声処理部１０４へ出力する。映像信号が入力されたデコーダ１０３は、符号圧縮された映像信号の復号処理を行い、映像処理部１０７へ復号済み映像データを出力する。音声信号が入力された音声処理部１０４は、符号圧縮された音声信号の復号処理を行い、アンプ部１０５へ復号済み音声データを出力する。【００９５】
復号済み映像データが入力された表示装置駆動回路１０８は、復号済み映像記データの画質調整を行い、表示装置１０９が表示できるデータに変換し、データを表示装置１０９へは出力する。復号済み音声データが入力されたアンプ部１０５は、復号済み音声データを増幅し、スピーカ１０６へ出力する。これにより、利用者が視聴できる状態になる。上記の手順で、待機状態から情報出力状態への移行を完了する。また、上記移行作業を行っている最中に、第３トリガが発行されれば処理を中断し準備状態へ移行する。【００９６】
（９）準備状態のまま保持する処理５０９について説明する。【００９７】
準備状態５０２において、通常であれば時間計測部１２２での経過時間がある設定値（例えば、５分間）を超えた場合に、待機状態への移行５０７を開始するが上記設定値以内、ここでは５分以内に、照度の変化、音の変化、赤外線信号などをセンサ１１５が感じ取り、トリガ発生部１１６において上記事象を解析した結果、第５トリガと認められれば第５トリガ発生部は第５トリガを発生し、時間計測部１２２でカウントしている経過時間を予め設定された値に戻す。これら経過時間をリセットするきっかけとなる事象を第５トリガと呼ぶ。具体的には、上記の例において「４分」の時点で上記事象が検知されれば「０分」にもどされ、そこから再度カウントが開始される。これにより、準備状態５０２が延長される。また、上記状態中に、第２トリガが発行されれば情報出力状態に移行する。
【実施例】
【００９８】
[実施例１]
次に、本発明の一実施の形態について説明する。図１１は本実施例によるテレビジョン受像機の概観構成例を示す図であり、図１２は対応する上記実施の形態による回路ブロック図である。【００９９】
本実施の形態による情報処理装置の基本的な動作に関しては、既に説明したので省略し、異なる部分のみを説明する。異なる部分は、第１トリガ、第２トリガ、第３トリガ及び第５トリガとなる事象を感受する他機器制御信号傍受部であるセンサ、リモコン受光部又はスイッチと、それらから出力される値から前記第１トリガ、第２トリガ、第３トリガ及び第５トリガの生成方法である。上記センサ、スイッチ類は、図１１、図１２に示す電源スイッチ１２００、リモコン受光部１２０１、照度センサ１２０２、マイク１２０３、カメラ１２０４である。【０１００】
まず、第１トリガについて説明する。第１トリガの機能は、利用者による電源投入行為の前に利用者によるテレビジョン受像機の使用を察知或いは予想し、第１トリガが入力されることにより予めテレビジョン受像機の状態を準備状態に移行しておくことである。【０１０１】
照度センサ１２０２を利用して、第１トリガとなる事象及び第１トリガの生成方法を図１３から図１５までを参照して説明する。【０１０２】
本実施例によるテレビジョン受像機が、利用者宅のリビングルームに置かれているとする。例えば、利用者は夜に上記テレビジョン受像機においてテレビ番組の視聴を終え電源スイッチ１２００或いは図示しないリモコンからリモコン受光部１２０１に向け電源ＯＦＦの指示を出す。これを受けてテレビジョン受像機は、情報出力状態から準備状態を経由して待機状態に移行し、深夜、テレビジョン受像機周辺は暗くなり、利用者が使用しない間は待機状態となり電力消費が低減する。【０１０３】
朝になり、利用者が起床し部屋のカーテン又は雨戸を開けると、テレビジョン受像機周辺の照度変化が急激に起こる。このときの時間に対する照度の変化の例を図１４に示す。図１４に示すように、照度の時間変化は、符号１４００のポイントにおいて大きく変化し、この時点で利用者が起床し部屋のカーテン又は雨戸を開けたものと推測できるこの曲線は、実際には部屋の窓の数や天候にも左右されるのでこのような条件により補正を行う必要がある。【０１０４】
このとき周辺の明るさは常に照度センサ１２０２が感受しており、ここで得られた照度情報がトリガ発生部１１６において解析される。トリガ発生部１１６における解析方法の一例を図１３に示すフローチャートに従って説明する。ステップＳ１３００で処理を開始すると、ステップＳ１３０１では、時間ｔｎにおける照度をＬ（ｔｎ）を測定している。【０１０５】
ステップＳ１３０２において、下記式１に従ってａｎを演算する。
【式１】
【０１０６】
2007026532.tif 000003
ここで、ｎは自然数であり、ａｎは時間に対する照度の変化率である。
【式２】
【０１０７】
2007026532.tif 000004
Ａは予め設定された値である。
【０１０８】
ステップＳ１３０３において、次回の演算のためにｔｎ−１にｔｎの値を代入しておき、同様にしてＬ（ｔｎ−１）にＬ（ｔｎ）の値を代入しておく。
【０１０９】
ステップＳ１３０４において、算出されたａｎが、上記式２の条件を満たせば（Ｙｅｓ）ステップＳ１３０５へ進み、トリガ発生部１１６は、制御部１１１もしくは電源管理部Ａ１１７−１へ第1トリガの発生を促し処理を終了する（ステップＳ１３０６）。ａｎが上記Ａより小さければステップＳ１３０１へ戻る。
【０１１０】
実測した時間と照度、及びそれらから算出した時間ｔ０からｔ５までにおけるａの値を図１５に示す。また、この実測値をグラフにしたものが上記図１４であり、上述のように符号１４００で示す時点で、利用者によりカーテンが開けられている。この例ではＡの値を例えば５０に設定しておけば、時間ｔ４で第1トリガが発生する。
【０１１１】
上記式１において、ａｎは単位時間当たりの照度の変化量であり、式２において上記変化量がある一定値以上か否かを判別している。このようにすることにより、照度の変化が自然現象に起因するものなのか、人為的行為に起因するものなのかをおおむね推測して切り分けることができる。すなわち、変化量があるしきい値よりも大きければ人為的行為と判断し、変化量があるしきい値よりも小さければ自然現象を判断するような値をＡに設定してやればよい。ここでは人為的行為と判断できる照度変化であれば、すなわち機器の近傍に人がいることになるため、第１トリガを発生し準備状態に移行しておく。このような理由から厳密に式１及び式２に従う必要はなく、センサで測定された値を人為的行為か、或いは自然現象化を判別できる手法を用いれば同様の効果が得られる。この際、時刻も有力な手がかりとなるため、変化量に時刻を加味して推測しても良い。
【０１１２】
もちろん、図１５に示すデータは天候、季節、時間帯、部屋の大きさや窓の数、テレビジョン受像機が置かれる向き、家具の配置などさまざまな条件により変わるため、それら条件を考慮して上記Ａを設定する必要があるのは言うまでもない。
【０１１３】
ただし、前述したようなさまざまな条件に、Ａを固定の値で対応しようとすると、ある事象が起こり第1トリガとして判定され準備状態に移行したものの、第２トリガが入力されなかったというような移行ミスが増えてしまう可能性がある。この問題に対して、前記Ａを調整することによりさまざまな条件に対応することは可能である。
【０１１４】
移行ミスの発生原因の１つとしてＡの値が大きすぎたり、小さすぎたりする場合が挙げられる。これは想定していた条件よりも、照度の変化が緩やかであるか、急である場合に発生する。
【０１１５】
この問題を解決するためには、例えば、以下のような過去の動作からＡの値を変更する仕組みを持たせることにより解決することができる。すなわち、待機状態から準備状態に移行したものの第２トリガが入力されず情報出力状態に移行することなく再び待機状態に移行した場合には、Ａの値を大きくする、すなわち待機状態から準備状態への移行を起こりにくくする。逆に待機状態から準備状態に移行することなく、直接待機状態から情報出力状態へ移行した場合には、Ａの値を小さくする、すなわち待機状態から準備状態への移行を起こりやすくする。
【０１１６】
同様にして、例えば蛍光灯の電源ＯＮのように照度変化が一瞬であるとき、つまり図１６のｔ２とｔ３と間に示すように照度の変化が式1の分母Δｔｎに比較してごく短時間であるような場合、或いは、カーテンは閉じられているが比較的明るい室内においてカーテンを開けるとき、つまり図１７のｔ２とｔ３との間に示すように照度値の変化分が分母Δｔｎに比較して小さい場合が問題になる。これらの場合では、分母Δｔｎが大きすぎるため式１による照度の変化率ａｎが図１４の場合に比べて小さくなってしまう。
【０１１７】
これらの場合には、式１の分母Δｔｎを小さくすれば良い。従って、照度を測定する単位時間を短くすればよく、逆に一瞬の照度の変化に反応せずある程度の時間平均値としたい場合は、上記Δｔｎを大きくすれば良いので、照度を測定する単位時間を長くすればよい。
【０１１８】
そこで、機器利用状況の履歴をトリガ発生部１１６に設けられるＲＡＭなどに格納しておき、上記の履歴を参照することによって、Ａの値をより適切な値に設定することができる。機器の電源が遮断された場合にも履歴を残しておきたい場合は、ＲＡＭではなくＦｌａｓｈＲＯＭのような電源遮断時にもデータを保持できる媒体に記録しておけばよい。
【０１１９】
以上に説明した方法により、朝日が昇った、天気が悪くなった、というような照度の変化が急ではない自然現象に起因して、待機状態から準備状態に移行することはなく、朝カーテンを開ける、夜帰宅して部屋の照明をつけるといった人の行為による急な照度の変化を検知することができる。このようにすることにより、その後に予想される利用者によるテレビジョン受像機の利用の前に、予めテレビジョン受像機を準備状態に移行でき、実際に利用者から電源ＯＮ指示があれば、瞬時に情報出力状態へ移行することを可能とする。
【０１２０】
以上において、照度センサを例にして説明を行った理由は、１）人為的な環境の変化として照度の変化が代表的なものであること、２）照度センサが現在のテレビジョン受像機に搭載されているからである。照度センサの搭載理由は視聴環境の照度によって映像の明るさを変化させるために設けられている。例えば、真っ暗な環境で非常に表示輝度の高い映像を見ると視力低下を招く、或いは映像次第では光過敏性てんかんなど傷害を引き起こしてしまう可能性もある。逆に明るい環境では表示輝度が低いと映像が見えにくくなる。そこで視聴中において照度センサで環境の照度を測定し、暗い環境であれば映像の表示輝度を下げ、明るい環境であれば表示輝度を上げる、という処理を現在でも行っている。そこで、既存の照度センサを利用することにより第１トリガを発生するようにすれば、テレビジョン受像機の構成にもよるが、追加コストの必要なく制御方法の変更で本発明の機能を追加できるという利点がある。
【０１２１】
以上の１）、２）の理由で照度センサを用いて説明しているが、照度センサの代わりに図示しない温度センサ、図示しない湿度センサ、図示しない人体を検知するセンサ、マイク１２０３、或いはカメラ１２０４等を用いても良い。
【０１２２】
温度センサ、又は湿度センサを用いた場合は、人による部屋の扉や窓の開閉がある時、或いはエアコンの稼動などを検知して、第1トリガを発生するようにすればよい。また、マイクであれば、扉や窓の開閉、歩く音、話し声などを検知して第1トリガを発声するようにすれば良い。方法は上記と同じであるためここでは省略する。人体を検知するセンサであれば、付近に人が接近した際にそれを検知して第１トリガを発生するようにすればよい。
【０１２３】
カメラ１２０４を利用した場合は、単位時間ごとにテレビジョン受像機の正面の映像を撮影する。ある時点ｔｎと、ｔｎ−１に撮影した映像の面積差分をとり、上記式１のΔＬ（ｔｎ）とすれば良い。基本的な方法は上記と同じであるためここでは省略する。
【０１２４】
次に第２トリガについて説明する。第２トリガの目的は、利用者意思の行為でもって、準備状態から情報出力状態へ移行することである。すでに述べたように待機状態から準備状態へは、利用者意思に関わらず移行されるため、準備状態から情報出力状態へ移行する際には利用者意思を考慮する必要がある。
【０１２５】
第２トリガの目的から、第２トリガを生成する元となる事象は利用者による電源ＯＮ指示を受け取ることであり、具体的には電源スイッチ１２００をＯＮにする、もしくはリモコンによる電源ＯＮ指示をリモコン受光部１２０１で受信することである。
【０１２６】
次に第３トリガについて説明する。第３トリガの目的は利用者意思の行為でもって、情報出力状態から準備状態へ移行することである。
【０１２７】
第３トリガの目的から、第３トリガを生成する元となる事象は利用者による電源ＯＦＦ指示を受け取ることであり、具体的には電源スイッチ１２００をＯＦＦにする、もしくはリモコンによる電源ＯＦＦ指示をリモコン受光部１２０１で受信することである。
【０１２８】
第２トリガ及び第３トリガを利用者意思の行為にしておくことで、テレビジョン受像が勝手に視聴映像音声を表示する、或いは、切れるというような動作をすることなく、利用者にとってこれまでと同じ操作感覚を提供することができる。
【０１２９】
第４トリガについては、上述したとおり準備状態に移行してから経過した時間によって発生する。これにより準備状態に移行後、予め定められた時間で待機状態に移行する。
【０１３０】
第５トリガについて説明する。第５トリガの目的は、準備状態を保持する時間を延長することである。通常準備状態に移行完了後、第２トリガが入力されないまま予め定めた時間が経過すれば、待機状態に移行するのであるが、第５トリガが入力された場合は、前記経過した時間を予め定められた値に戻す。したがって、準備状態において延長トリガが入力されれば、準備状態を保持しておく時間が延長されることになる。第５トリガの目的から、第５トリガを生成する元となる事象は、テレビジョン受像機の近辺、少なくともリモコン信号がリモコン本体からテレビジョン受像機に到達する距離圏内に利用者が存在することを認識されることである。
【０１３１】
第５トリガとなる事象、上記事象を感受するセンサ及び上記トリガの生成方法は、マイク１２０３を用いて、音の発生を検知してある一定値以上の音量であれば上記第５トリガを発生する方法、照度センサ（１２０２）を用いて、人がテレビジョン受像機の前を横切ることによって一瞬照度が低下することを検知して発生する方法、或いは人体を検知するセンサ（図省略）を用いて、付近に人が接近した際に第５トリガを発生する方法、或いは上記第１トリガの場合と同じ事象と方法で発生する、などが挙げられる。
【０１３２】
なお、図１２においては、センサ（環境情報取得部）１５は、電源スイッチ１２００、リモコン受光部１２０１、照度センサ１２０２、マイク１２０３、カメラ１２０４によって構成されているが、これらは全て揃っている必要はなく、第１トリガ又は第５トリガとして利用できるものがあれば、どれかが欠けていても良い。その場合は、前述した第１トリガ又は第５トリガの種類が減ることになる。或いは、センサを任意に組み合わせることもできる。
【０１３３】
従来の装置によれば、待機状態からリモコン或いは電源スイッチＯＮといった利用者による情報出力状態移行指示の行為があってから移行を開始していたため、実際に機器が情報出力状態に移行完了に必要な時間を利用者に待たせていた。
【０１３４】
これに対して、本実施の形態による装置では、待機状態と情報出力状態の中間となる準備状態を定義しておくことにより上記の遅延を低減することができる。すなわち利用者による情報出力状態指示の前に、第1トリガとなる事象があれば準備状態に移行しておくことにより、利用者の意識しているかいないかにかかわらず時間のかかる待機状態から準備状態への移行処理を済ませておく。実際に利用者から情報出力状態移行指示となる第２トリガがあれば、より処理数の少ない準備状態から情報出力状態の移行だけにできる。これにより利用者が体感する移行に必要な待ち時間を削減することができる。
【０１３５】
また、いつまでも準備状態を保持しておくり消費電力が増えてしまうため、利用者からの第２トリガがないまま一定時間が経てば、再び待機状態に移行するようにすることにより、必要以上に電力を消費しないよう配慮した。
【０１３６】
さらに、第５トリガとなる事象があれば準備状態を延長して保持するようにしておくことにより、準備状態から待機状態に戻ったもののすぐに利用者から情報出力状態移行指示があり、待機状態から情報出力状態に移行するといったような頻繁な状態間の移行を極力減らし、利用者を待たせることがないように工夫を施した。
【０１３７】
以上のように本実施例によれば、待機状態にある機器近辺において人為的行為を検知し、自動的に準備状態に移行しておくことができ、これにより利用者が実際に機器を使用する際には、より少ない待ち時間で利用者所望の機器の状態に移行が可能となる。さらに、利用者が使用しない際は一定時間で待機状態に戻るため、必要以上に消費電力を消費しないという利点がある。
【０１３８】
[実施例２]
上述したように、第１トリガはテレビジョン受像機の近傍に人がいる場合に発生するような仕組みを構成しておけばよいので、リモコン受光部１２０１を利用する方法が挙げられる。
【０１３９】
すなわち、本実施例による装置が待機状態にあるときに、利用者がテレビジョン受像機付近に置いてある例えばオーディオビジュアル機器、エアコンなどの本機以外のリモコン操作可能機器のリモコン信号をリモコン受光部１２０１により検知した際に第１トリガを発生させる。第５トリガも同様に本機以外のリモコン信号を受信した際に発生すればよい。このようにすることにより、第１実施例と沿うよう同様の効果を得ることが出来る。
【産業上の利用可能性】
【０１４０】
本発明は、テレビジョン受像機、テレビジョン記録再生機などの電子機器に適用可能である。
【図１】
2007026532.tif 000005
【図２】
2007026532.tif 000006
【図３】
2007026532.tif 000007
【図４】
2007026532.tif 000008
【図５】
2007026532.tif 000009
【図６】
2007026532.tif 000010
【図７】
2007026532.tif 000011
【図８】
2007026532.tif 000012
【図９】
2007026532.tif 000013
【図１０】
2007026532.tif 000014
【図１１】
2007026532.tif 000015
【図１２】
2007026532.tif 000016
【図１３】
2007026532.tif 000017
【図１４】
2007026532.tif 000018
【図１５】
2007026532.tif 000019
【図１６】
2007026532.tif 000020
【図１７】
2007026532.tif 000021
【手続補正書】
【提出日】平成20年2月21日(2008.2.21)
【手続補正１】
【補正対象書類名】特許請求の範囲
【補正対象項目名】全文
【補正方法】変更
【補正の内容】
【特許請求の範囲】
【請求項１】
当該情報処理装置の周囲の環境情報を取得する環境情報取得部と、
前記環境情報に基づいて、情報を出力していない待機状態から情報を出力している情報出力状態へ移行する準備段階である準備状態に移行する起因となる第１トリガを発生する第1トリガ発生部と、を有することを特徴とする情報処理装置。
【請求項２】
前記準備状態は、前記待機状態から前記情報出力状態への移行時間よりも該情報出力状態への移行時間を短くするために必要な回路への電力供給を行なっている状態であることを特徴とする請求項１に記載の情報処理装置。
【請求項３】
当該情報処理装置の周囲の環境情報を取得する環境情報取得部と、
環境情報の変化が、予め定められたしきい値に達した場合に、情報を出力していない待機状態から情報を出力している情報出力状態へ移行する準備段階である準備状態に移行する起因となる第１トリガを発生する第１トリガ発生部と、を備えることを特徴とする情報処理装置。
【請求項４】
前記情報出力状態への移行指令信号を受信し、前記準備状態から前記情報出力状態に移行する起因となる第２トリガを発生する第２トリガ発生部を備えることを特徴とする請求項１から３までのいずれか１項に記載の情報処理装置。
【請求項５】
前記準備状態への移行指令信号を受信し、前記情報出力状態から前記準備状態に移行する起因となる第３トリガを発生する第３トリガ発生部を備えることを特徴とする請求項１から４までのいずれか１項に記載の情報処理装置。
【請求項６】
前記準備状態に移行してからの時間を計測する時間計測部と、
該時間計測部が計測した時間に基づいて、前記準備状態から前記待機状態に移行する起因となる第４トリガを発生する第４トリガ発生部と
を備えることを特徴とする請求項１から５までのいずれか１項に記載の情報処理装置。
【請求項７】
前記第４トリガ発生部は、前記時間計測部が保持する経過時間と、予め設定された時間と、を比較し、前記経過時間が前記設定された時間より長くなった場合に、前記準備状態から前記待機状態に移行する起因となる第４トリガを発生することを特徴とする請求項６に記載の情報処理装置。
【請求項８】
当該情報処理装置の周囲の環境情報を取得する環境情報取得部を有し、
前記環境情報に基づいて、情報を出力していない待機状態から情報を出力している情報出力状態へ移行する準備段階である準備状態の保持時間を調整することを特徴とする情報処理装置。
【請求項９】
当該情報処理装置の周囲の環境情報を取得する環境情報取得部と、
前記環境情報の変化が、人為的行為であるか自然現象であるかを推定し、前記環境情報の変化が人為的行為であると推定された場合に情報を出力している情報出力状態へ移行する準備段階である準備状態を延長する起因となる第５トリガを発生する第５トリガ発生部と
を有することを特徴とする情報処理装置。
【請求項１０】
前記準備状態に移行後、前記情報出力状態に移行しなかった場合に、前記準備状態に移行してからの経過時間と比較するために予め設定された時間を、より長く設定することを特徴とする請求項９に記載の情報処理装置。
【請求項１１】
前記準備状態に移行後、前記情報出力状態に移行した場合に、
前記準備状態に移行してからの経過時間と比較するために予め設定された時間を、より短く設定することを特徴とする請求項９に記載の情報処理装置。
【請求項１２】
音声情報又は映像情報を出力する情報出力状態と、
前記音声情報又は前記映像情報を出力せず、前記情報出力状態よりも電力消費が少ない待機状態と、
前記音声情報及び前記映像情報を出力せず、情報出力が指示された場合に前記情報出力状態へ移行する際にかかる時間が前記待機状態から前記情報出力状態へ移行する際にかかる時間よりも短い準備状態と、
周囲の環境情報を取得する環境情報取得部と、を有し、
前記環境変化が、予め定められたしきい値に達した場合に前記待機状態から前記準備状態に移行し、
予め定められた時間内に、前記情報出力状態への移行信号を受信した場合に前記準備状態から前記情報出力状態に移行し、
前記準備状態への移行信号を受信した場合に前記情報出力状態から前記準備状態へ移行し、
前記準備状態に移行してからの経過時間が予め設定された時間より長くなった場合に前記準備状態から前記待機状態へ移行することを特徴とする情報処理装置。
【請求項１３】
前記準備状態であるときに環境変化の発生を検出した場合に、前記経過時間を予め設定された時間にすることを特徴とする請求項１２に記載の情報処理装置。
【請求項１４】
周囲の照度に応じた映像表示の明るさを変化させるための照度センサを備え、
前記映像表示のための情報を出力していない状態においても前記照度センサにより周囲の照度を測定することを特徴とする請求項１から１３までのいずれか１項に記載の情報処理装置。
【請求項１５】
前記照度センサの測定値が前記情報処理装置の状態を移行する起因となることを特徴とした請求項１４に記載の情報処理装置。
【請求項１６】
前記環境情報取得部はセンサであり、
前記第１トリガ発生部は、前記センサの測定値の予め定められた時間当たりの変化量が予め定められた値を超えて変化した場合に前記第１トリガを発生させることを特徴とする請求項３又は４に記載の情報処理装置。
【請求項１７】
前記環境情報取得部はカメラであり、
前記第１トリガ発生部は、前記カメラの撮影映像の予め定められた時間当たりの変化量が予め定められた値を超えて変化した場合に人為的行為と判断することを特徴とする請求項３又は４に記載の情報処理装置。
【請求項１８】
前記環境情報取得部はセンサであり、
前記第５トリガ発生部は、前記センサの測定値の予め定められた時間当たりの変化量が予め定められた値を超えて変化した場合に、人為的行為と判断することを特徴とする請求項９に記載の情報処理装置。
【請求項１９】
前記環境情報取得部はセンサであり、
前記第５トリガ発生部は、前記センサの測定値が予め定められた値を超えて変化した場合に、人為的行為と判断することを特徴とする請求項９に記載の情報処理装置。
【請求項２０】
前記センサは、当該情報処理装置の周囲の照度情報を取得する照度センサであることを特徴とする請求項１６、１８又は１９のいずれか１項に記載の情報処理装置。
【請求項２１】
前記センサは、当該情報処理装置の周囲の温度情報を取得する温度センサであることを特徴とする請求項１６、１８又は１９のいずれか１項に記載の情報処理装置。
【請求項２２】
前記センサは、当該情報処理装置の周囲の湿度情報を取得する湿度センサであることを特徴とする請求項１６、１８又は１９のいずれか１項に記載の情報処理装置。
【請求項２３】
前記センサは、当該情報処理装置の周囲の音声情報を取得するマイクであることを特徴とする請求項１６、１８又は１９のいずれか１項に記載の情報処理装置。
【請求項２４】
前記センサは、当該情報処理装置の周囲の人体情報を取得する人体検知センサであることを特徴とする請求項１６、１８又は１９のいずれか１項に記載の情報処理装置。
【請求項２５】
前記環境情報取得部はカメラであり、
前記第５トリガ発生部は、前記カメラの撮影映像の予め定められた時間当たりの変化量が予め定められた値を越えて変化した場合に人為的行為と判断することを特徴とする請求項９から１１までのいずれか１項に記載の情報処理装置。
【国際調査報告】
2007026532.tif 000022
2007026532.tif 000023
2007026532.tif 000024
2007026532.tif 000025